(57)【要約】【課題】複数の無線通信部を備え同時受信動作が可能なものにおいて、これらの無線通信部の各受信周波数における受信感度劣化を同時に防ぐ。【解決手段】第１の無線通信部となる受信部１２と、第２の無線通信部となる受信部１４とを備え、同時受信動作する場合に、ＣＰＵ１６は、カメラモジュール等のノイズ源デバイス１５の起動時に、デバイスの動作クロックまたはその逓倍の周波数に相当するデバイス動作周波数に関して、受信部１２の第１の受信周波数及び受信部１４の第２の受信周波数と、デバイス動作周波数との距離に関するしきい値を用いて、各受信周波数に対するデバイス動作周波数の影響度を判定し、第１の受信周波数及び第２の受信周波数より所定量以上離れたデバイス動作周波数を選択し、動作クロックをノイズ源デバイス１５に供給する。【選択図】図１
2009118043.tif 000002
【特許請求の範囲】
【請求項１】
複数の無線通信部を備え、これらの無線通信部により同時受信動作が可能な無線通信装置であって、
装置内で動作するデバイスの動作クロックを生成して出力するデバイス動作クロック生成部と、
第１の無線通信部の受信動作時の周波数に相当する第１の受信周波数と、前記第１の無線通信部とは異なる第２の無線通信部の受信動作時の周波数に相当する第２の受信周波数とに関して、前記デバイスの動作クロックまたはその逓倍の周波数に相当するデバイス動作周波数との距離に関するしきい値を用いてデバイス動作周波数の影響度を得るデバイス動作周波数判定部と、
前記デバイス動作周波数の影響度に基づき、前記第１の受信周波数及び前記第２の受信周波数より所定量以上離れたデバイス動作周波数を選択するデバイス動作周波数選択部と、
を備える無線通信装置。
【請求項２】
請求項１に記載の無線通信装置であって、
前記デバイス動作周波数判定部は、前記第１の受信周波数と前記デバイス動作周波数との距離に関する第１のしきい値を用いて、前記デバイス動作周波数の第１の受信周波数に対する影響度を判定するとともに、前記第２の受信周波数と前記デバイス動作周波数との距離に関する第２のしきい値を用いて、前記デバイス動作周波数の第２の受信周波数に対する影響度を判定する無線通信装置。
【請求項３】
請求項２に記載の無線通信装置であって、
前記デバイス動作周波数選択部は、前記第１の受信周波数との距離、及び前記第２の受信周波数との距離が、それぞれ前記第１のしきい値以上かつ前記第２のしきい値以上となるデバイス動作周波数を選択する無線通信装置。
【請求項４】
請求項２に記載の無線通信装置であって、
前記デバイス動作周波数選択部は、前記第１の受信周波数との距離、及び前記第２の受信周波数との距離が、前記第１のしきい値未満または前記第２のしきい値未満に少なくとも一方がなる場合に、前記第１の受信周波数または前記第２の受信周波数から一番離れたデバイス動作周波数を選択する無線通信装置。
【請求項５】
請求項２に記載の無線通信装置であって、
前記デバイス動作周波数選択部は、前記第１の受信周波数との距離、及び前記第２の受信周波数との距離が、前記第１のしきい値未満または前記第２のしきい値未満に少なくとも一方がなる場合に、前記第１の無線通信部と前記第２の無線通信部のうちの優先する無線通信部の受信周波数から一番離れたデバイス動作周波数を選択する無線通信装置。
【請求項６】
請求項１に記載の無線通信装置であって、
前記デバイス動作周波数判定部は、前記デバイス動作周波数の影響度を表すウエイトを算出し、
前記デバイス動作周波数選択部は、前記算出されたウエイトが所定値以上となるデバイス動作周波数を選択する無線通信装置。
【請求項７】
請求項６に記載の無線通信装置であって、
前記デバイス動作周波数選択部は、前記複数の無線通信部の受信周波数に対してそれぞれ算出された前記ウエイトの積を算出し、この積による総合ウエイトが所定値以上となるデバイス動作周波数を選択する無線通信装置。
【請求項８】
請求項１に記載の無線通信装置であって、
前記デバイス動作周波数判定部として、前記複数の無線通信部の受信周波数毎にしきい値を用いて算出した、受信周波数より所定量以上離れたデバイス動作周波数の情報を格納する周波数情報記憶部を備え、
前記デバイス動作周波数選択部は、前記周波数情報記憶部の周波数情報に基づいてデバイス動作周波数を選択する無線通信装置。
【請求項９】
請求項１に記載の無線通信装置であって、
前記しきい値は、前記無線通信部の受信周波数帯域毎に設定可能である無線通信装置。
【請求項１０】
複数の無線通信部を備え、これらの無線通信部により同時受信動作が可能な無線通信装置のデバイス動作周波数選定方法であって、
装置内で動作するデバイスの動作クロックを生成して出力するデバイス動作クロック生成ステップと、
第１の無線通信部の受信動作時の周波数に相当する第１の受信周波数と、前記第１の無線通信部とは異なる第２の無線通信部の受信動作時の周波数に相当する第２の受信周波数とに関して、前記デバイスの動作クロックまたはその逓倍の周波数に相当するデバイス動作周波数との距離に関するしきい値を用いてデバイス動作周波数の影響度を得るデバイス動作周波数判定ステップと、
前記デバイス動作周波数の影響度に基づき、前記第１の受信周波数及び前記第２の受信周波数より所定量以上離れたデバイス動作周波数を選択するデバイス動作周波数選択ステップと、
を有するデバイス動作周波数選定方法。
【発明の詳細な説明】
【技術分野】
【０００１】
本発明は、複数の無線通信部を備える無線通信装置に関する。
【背景技術】
【０００２】
例えば携帯電話装置では、近年の高機能化や性能向上に伴い、液晶表示部（ＬＣＤ）、カメラ、メモリなどの各モジュールのデバイス動作周波数の増大、及びデバイス動作周波数の高速化が進んでいる。この結果、デバイス動作周波数及びその高調波が無線通信部の無線周波数と干渉し、受信感度劣化を引き起こすことが生じ得る。
【０００３】
そこで、従来はデバイス動作周波数を無線周波数に応じて選択する制御を行うことにより、受信波干渉の軽減を図るものが知られている。これは、デバイス動作周波数を高速、高精度かつ容易に設定して、デバイス動作周波数の高調波成分によるノイズを低減し、受信感度劣化の軽減を図るものである（例えば、特許文献１参照）。
【０００４】
近年の携帯電話装置は、多機能化が進み、携帯電話の移動体通信機能の他に、デジタルテレビ（ＤＴＶ）、Bluetooth（登録商標）、ＧＰＳ（Global Positioning System）などの複数の無線受信機能を持つ各種アプリケーションが組み込まれている。このため、装置内には複数の無線通信部が搭載され、同時に動作することも多い。
【０００５】
図１２は、従来の無線通信装置において、同時に動作する複数の無線通信部を設けた際に、デバイス動作周波数の高調波が無線周波数と干渉し、受信感度劣化を引き起こす場合の動作を説明する図である。また、図１３は、図１２の従来例における周波数スペクトルを示す図である。
【０００６】
ＬＣＤモジュールやカメラモジュール等のノイズ源デバイス５５は、ＣＰＵ５６から周波数ＰＣＬＫのクロックを供給され、デバイス動作周波数ＰＣＬＫで動作する。これにより、ノイズ源デバイス５５及びノイズ源デバイス５５とＣＰＵ５６間の信号線からｎ×ＰＣＬＫ１，ｎ×ＰＣＬＫ２，・・の高調波成分が発生する（図１３（ｂ），（ｅ）参照）。ＣＰＵ５６は、メモリ５７に記憶された処理プログラムによって動作し、ノイズ源デバイス５５へ供給するクロックの周波数を選定して生成する。この場合、ＣＰＵ５６は、デバイス動作周波数として、第１の無線通信部としての受信部ＲＦ（１）５２に対して干渉を避けるように最適化がなされたクロック周波数を生成し、第２の無線通信部としての受信部ＲＦ（２）５４に対してはうまく最適化がなされていないものとする。
【０００７】
受信部ＲＦ（１）５２は、アンテナＡＮＴ（１）５１を介して、外部から受信周波数としてＦ＿ＲＸ１の電波を受信する。また、ノイズ源デバイス５５及びノイズ源デバイス５５とＣＰＵ５６間の信号線からデバイス動作周波数の最適化に対応した周波数ＰＣＬＫ２の高調波成分を受信する（図１３（ａ）参照）。したがって、受信部ＲＦ（１）５２では、受信帯域にデバイス動作周波数の高調波成分が入らないため、干渉が発生しない（図１３（ｃ）参照）。
【０００８】
一方、受信部ＲＦ（２）５４は、アンテナＡＮＴ（２）５３を介して、外部から受信周波数としてＦ＿ＲＸ２の電波を受信する。また、ノイズ源デバイス５５及びノイズ源デバイス５５とＣＰＵ５６間の信号線からデバイス動作周波数の最適化未対応の周波数ＰＣＬＫ２の高調波成分を受信する（図１３（ｄ）参照）。したがって、受信部ＲＦ（２）５４では、受信帯域にデバイス動作周波数の高調波成分が入ってしまい、干渉が発生する（図１３（ｆ）参照）。
【特許文献１】特開２０００−３４１１６５号公報
【発明の開示】
【発明が解決しようとする課題】
【０００９】
上述したように、従来の装置においては、同時に動作する複数の無線通信部に対して、全ての受信波における干渉を完全に防ぐことができないという問題点がある。すなわち、従来の装置においては、受信波と干渉しないデバイス動作周波数を選択することによって、１つの無線通信部に対してデバイス動作周波数及びデバイス動作周波数の高調波による受信感度劣化を抑えることは可能であるが、複数の無線通信部に対しては、同時に複数の受信波との干渉を避けることが困難な場合があり、干渉を受ける無線通信部が発生することがある。
【００１０】
例えば、図１２及び図１３に示すように、１つの受信部ＲＦ（１）に対して受信波と干渉しないデバイス動作周波数を選択する場合、複数の受信部ＲＦ（１），ＲＦ（２）を搭載し同時に受信動作をするものに対しては、干渉を受ける受信部ＲＦ（２）が発生するおそれがある。
【００１１】
本発明は、上記事情に鑑みてなされたもので、複数の無線通信部を備え同時受信動作が可能なものにおいて、これらの無線通信部の各受信周波数における受信感度劣化を同時に防ぐことが可能な無線通信装置を提供することを目的とする。
【課題を解決するための手段】
【００１２】
本発明の無線通信装置は、複数の無線通信部を備え、これらの無線通信部により同時受信動作が可能な無線通信装置であって、装置内で動作するデバイスの動作クロックを生成して出力するデバイス動作クロック生成部と、第１の無線通信部の受信動作時の周波数に相当する第１の受信周波数と、前記第１の無線通信部とは異なる第２の無線通信部の受信動作時の周波数に相当する第２の受信周波数とに関して、前記デバイスの動作クロックまたはその逓倍の周波数に相当するデバイス動作周波数との距離に関するしきい値を用いてデバイス動作周波数の影響度を得るデバイス動作周波数判定部と、前記デバイス動作周波数の影響度に基づき、前記第１の受信周波数及び前記第２の受信周波数より所定量以上離れたデバイス動作周波数を選択するデバイス動作周波数選択部と、を備えるものである。
【００１３】
これにより、複数の無線通信部の各受信周波数に対して干渉しないデバイス動作周波数を選定可能であり、デバイスの動作クロック等の受信周波数への干渉を抑止し、複数の無線通信部の受信周波数おける受信感度劣化を同時に防ぐことが可能となる。
【００１４】
また、本発明は、上記の無線通信装置であって、前記デバイス動作周波数判定部は、前記第１の受信周波数と前記デバイス動作周波数との距離に関する第１のしきい値を用いて、前記デバイス動作周波数の第１の受信周波数に対する影響度を判定するとともに、前記第２の受信周波数と前記デバイス動作周波数との距離に関する第２のしきい値を用いて、前記デバイス動作周波数の第２の受信周波数に対する影響度を判定するものを含む。
これにより、しきい値を用いて複数の受信周波数に対するデバイス動作周波数の影響度を判定し、各受信周波数より所定量以上離れた干渉のないデバイス動作周波数を選定可能となる。
【００１５】
また、本発明は、上記の無線通信装置であって、前記デバイス動作周波数選択部は、前記第１の受信周波数との距離、及び前記第２の受信周波数との距離が、それぞれ前記第１のしきい値以上かつ前記第２のしきい値以上となるデバイス動作周波数を選択するものを含む。
これにより、第１及び第２の受信周波数に対してしきい値以上離れたデバイス動作周波数を選択し、干渉のないデバイス動作周波数を選定可能となる。
【００１６】
また、本発明は、上記の無線通信装置であって、前記デバイス動作周波数選択部は、前記第１の受信周波数との距離、及び前記第２の受信周波数との距離が、前記第１のしきい値未満または前記第２のしきい値未満に少なくとも一方がなる場合に、前記第１の受信周波数または前記第２の受信周波数から一番離れたデバイス動作周波数を選択するものを含む。
これにより、第１及び第２の受信周波数に対してできるだけ離れたデバイス動作周波数を選択し、干渉のないデバイス動作周波数を選定可能となる。
【００１７】
また、本発明は、上記の無線通信装置であって、前記デバイス動作周波数選択部は、前記第１の受信周波数との距離、及び前記第２の受信周波数との距離が、前記第１のしきい値未満または前記第２のしきい値未満に少なくとも一方がなる場合に、前記第１の無線通信部と前記第２の無線通信部のうちの優先する無線通信部の受信周波数から一番離れたデバイス動作周波数を選択するものを含む。
これにより、第１及び第２の受信周波数に対してできるだけ離れた周波数、特に優先する無線通信部の受信周波数から一番離れたデバイス動作周波数を選択し、干渉のないデバイス動作周波数を選定可能となる。
【００１８】
また、本発明は、上記の無線通信装置であって、前記デバイス動作周波数判定部は、前記デバイス動作周波数の影響度を表すウエイトを算出し、前記デバイス動作周波数選択部は、前記算出されたウエイトが所定値以上となるデバイス動作周波数を選択するものを含む。
これにより、算出したウエイトを用いて第１及び第２の受信周波数から所定量以上離れたデバイス動作周波数を容易に選択することが可能となる。
【００１９】
また、本発明は、上記の無線通信装置であって、前記デバイス動作周波数選択部は、前記複数の無線通信部の受信周波数に対してそれぞれ算出された前記ウエイトの積を算出し、この積による総合ウエイトが所定値以上となるデバイス動作周波数を選択するものを含む。
これにより、各受信周波数に対して算出したウエイトの積によって、第１及び第２の受信周波数から所定量以上離れたデバイス動作周波数を容易かつ適切に選択することが可能となる。
【００２０】
また、本発明は、上記の無線通信装置であって、前記デバイス動作周波数判定部として、前記複数の無線通信部の受信周波数毎にしきい値を用いて算出した、受信周波数より所定量以上離れたデバイス動作周波数の情報を格納する周波数情報記憶部を備え、前記デバイス動作周波数選択部は、前記周波数情報記憶部の周波数情報に基づいてデバイス動作周波数を選択するものを含む。
これにより、予め算出した周波数情報に基づいて、各受信周波数より所定量以上離れた干渉のないデバイス動作周波数を容易に選定可能となる。
【００２１】
また、本発明は、上記の無線通信装置であって、前記しきい値は、前記無線通信部の受信周波数帯域毎に設定可能であるものを含む。
これにより、無線通信部の受信周波数帯域毎に適切なしきい値を設定し、各周波数帯域において受信周波数より所定量以上離れた適切なデバイス動作周波数を選定可能となる。
【００２２】
また、本発明のデバイス動作周波数選定方法は、複数の無線通信部を備え、これらの無線通信部により同時受信動作が可能な無線通信装置のデバイス動作周波数選定方法であって、装置内で動作するデバイスの動作クロックを生成して出力するデバイス動作クロック生成ステップと、第１の無線通信部の受信動作時の周波数に相当する第１の受信周波数と、前記第１の無線通信部とは異なる第２の無線通信部の受信動作時の周波数に相当する第２の受信周波数とに関して、前記デバイスの動作クロックまたはその逓倍の周波数に相当するデバイス動作周波数との距離に関するしきい値を用いてデバイス動作周波数の影響度を得るデバイス動作周波数判定ステップと、前記デバイス動作周波数の影響度に基づき、前記第１の受信周波数及び前記第２の受信周波数より所定量以上離れたデバイス動作周波数を選択するデバイス動作周波数選択ステップと、を有するものである。
【発明の効果】
【００２３】
本発明によれば、複数の無線通信部を備え同時受信動作が可能なものにおいて、これらの無線通信部の各受信周波数における受信感度劣化を同時に防ぐことが可能な無線通信装置を提供できる。
【発明を実施するための最良の形態】
【００２４】
以下の実施形態では、無線通信装置の一例として、携帯電話装置において、同時に受信動作が可能な複数の無線通信部と、これらの無線通信部に対して干渉を及ぼす可能性のあるノイズ源デバイスとを備える構成例を示す。
【００２５】
図１は、本発明の実施形態に係る無線通信装置の構成及び動作の概略を説明する図である。また、図２は、図１の構成例における周波数スペクトルを示す図である。
【００２６】
カメラモジュール等のノイズ源デバイス１５は、制御部としてのＣＰＵ１６から周波数ＰＣＬＫのクロックをデバイス動作クロックとして供給され、このデバイス動作クロックに対応するデバイス動作周波数ＰＣＬＫで動作する。ノイズ源デバイス１５としては、カメラモジュール、ＬＣＤモジュール、メモリーカードなどがある。これにより、ノイズ源デバイス１５及びノイズ源デバイス１５とＣＰＵ１６間の信号線からｎ×ＰＣＬＫａ，ｎ×ＰＣＬＫｂ，ｎ×ＰＣＬＫｃ・・の高調波成分が発生する（図２（ｂ），（ｅ）参照）。なおここでは、デバイス動作周波数は、デバイス動作周波数ＰＣＬＫを逓倍した高調波成分の周波数についてもデバイス動作周波数に含めて、総じてデバイス動作周波数と称する場合も含むものとする。
【００２７】
ここで、ＣＰＵ１６は、メモリ１７に記憶された処理プログラムによって動作し、ノイズ源デバイス１５へ供給するクロックの周波数を選定して生成する。この場合、ＣＰＵ１６は、デバイス動作周波数として、第１の無線通信部としての受信部ＲＦ（１）１２、及び第２の無線通信部としての受信部ＲＦ（２）１４の双方に対して、干渉を避けるように最適化がなされたクロック周波数を生成する。複数の無線通信部としては、ＵＭＴＳ（Universal Mobile Telecommunications System）、ＧＳＭ（Global System for Mobile Communications）などの移動体通信用の無線通信部、ＤＴＶ（デジタルテレビ）、Bluetooth（登録商標）、ＧＰＳ（Global Positioning System）、無線ＬＡＮ、ＦＭラジオ、ＡＭラジオなどの無線通信部が挙げられる。
【００２８】
第１の無線通信部としての受信部ＲＦ（１）１２は、アンテナＡＮＴ（１）１１を介して、外部から受信周波数としてＦ＿ＲＸ１の電波を受信する。また、ノイズ源デバイス１５及びノイズ源デバイス１５とＣＰＵ１６間の信号線からデバイス動作周波数の最適化に対応した周波数ＰＣＬＫｃの高調波成分を受信する（図２（ａ）参照）。したがって、受信部ＲＦ（１）１２では、受信帯域にデバイス動作周波数の高調波成分が入らないため、干渉が発生しない（図２（ｃ）参照）。
【００２９】
一方、第２の無線通信部としての受信部ＲＦ（２）１４は、アンテナＡＮＴ（２）１３を介して、外部から受信周波数としてＦ＿ＲＸ２の電波を受信する（図２（ｄ）参照）。また、ノイズ源デバイス１５及びノイズ源デバイス１５とＣＰＵ１６間の信号線からデバイス動作周波数の最適化に対応した周波数ＰＣＬＫｃの高調波成分を受信する（図２（ｄ）参照）。したがって、受信部ＲＦ（２）１４では、受信帯域にデバイス動作周波数の高調波成分が入らないため、干渉が発生しない（図２（ｆ）参照）。
【００３０】
図１において、ＣＰＵ１６がデバイス動作クロック生成部、デバイス動作周波数判定部、デバイス動作周波数選択部の機能を実現する。なお、図１では、デバイス動作クロック生成部はＣＰＵ１６に搭載されているが、これに限定するものではなく、ノイズ源デバイス１５にデバイス動作クロック生成部を搭載してもよい。
【００３１】
本実施形態では、複数の無線通信部として受信部１２，１４を搭載し同時受信動作が可能な構成において、受信部１２，１４の各受信チャネルの周波数情報に基づいて、それぞれの受信周波数に対して所定量以上の距離を有し、各受信周波数と干渉しないデバイス動作周波数ＰＣＬＫｃを選定する。これにより、デバイス動作周波数（高調波成分を含む）による受信波への干渉を同時に複数の受信部１２，１４に対して防止する。
【００３２】
図３は、本実施形態の無線通信装置の主要部の構成を示す図である。本実施形態の無線通信装置は、複数のアンテナ１１，１３と、受信部１２，１４と、装置の制御、演算等の処理を行うＣＰＵ３１と、各機能の動作プログラム及び受信周波数等の情報を記憶するメモリ３５と、動作状態などの各種表示を行う表示部３４と、無線通信装置に搭載された周辺デバイスでありノイズ源デバイスとなるカメラモジュール２１とを備えて構成されている。ＣＰＵ３１は、周波数設定部３２とカメラ基準クロック供給部３３とを有する。
【００３３】
受信部１２，１４は、アンテナ１１，１３から入力した受信信号を無線周波数からベースバンド周波数へ変換して復調処理等を行い、受信データをＣＰＵ３１へ出力する。ＣＰＵ３１の周波数設定部３２は、メモリ３５から受信チャネル情報を読み出し、受信部１２，１４の各受信周波数と干渉しないデバイス動作周波数（カメラ動作周波数）を選定し、選択したデバイス動作周波数の周波数情報（基準クロック周波数、分周比など）をカメラ基準クロック供給部３３及びカメラモジュール２１に出力する。カメラ基準クロック供給部３３は、周波数設定部３２で選定したデバイス動作周波数に対応するデバイス動作クロックを生成するための基準クロックを生成し、カメラモジュール２１に供給する。
【００３４】
このＣＰＵ３１から出力する周波数情報及び基準クロックによってカメラモジュール２１のデバイス動作クロックを制御することで、最適化されたデバイス動作周波数を選定する。なおここでは、デバイス動作クロックは、基準クロック、デバイス間の送受信クロック、これらの逓倍波についてもデバイス動作クロックに含めて、総じてデバイス動作クロックと称する場合も含むものとする。
【００３５】
カメラモジュール２１は、カメラ部２７とクロック生成部２２とを有して構成される。クロック生成部２２は、位相比較器２３、ローパスフィルタ（ＬＰＦ）２４、電圧制御発振器（ＶＣＯ）２５、及び分周器２６を有し、ＰＬＬ（Phase Locked Loop）を構成している。位相比較器２３は、カメラ基準クロック供給部３３から供給される基準クロックと分周器２６から入力したクロックとの位相差を検出し出力する。ＬＰＦ２４は、位相比較器２３から入力した位相差信号を直流化し出力する。ＶＣＯ２５は、ＬＰＦ２４から入力した直流電圧信号によって発振周波数を制御し、カメラモジュール用のデバイス動作周波数を生成してカメラ部２７に出力する。
【００３６】
ＣＰＵ３１は、複数の受信部１２，１４の各受信チャネルの周波数情報に基づいて、それぞれの受信周波数と干渉しないように、カメラモジュール２１のデバイス動作周波数を選定し、基準クロック及び分周比を設定して供給する。これにより、全ての受信部１２，１４の受信周波数に対する干渉を同時に抑制し、受信感度劣化を防ぐようにする。
【００３７】
図３において、ＣＰＵ３１のカメラ基準クロック供給部３３及びカメラモジュール２１のクロック生成部２２がデバイス動作クロック生成部の機能を実現する。ＣＰＵ３１の周波数設定部３２がデバイス動作周波数判定部及びデバイス動作周波数選択部の機能を実現する。また、メモリ３５において、デバイス動作周波数判定部としての周波数情報記憶部の機能を持つデバイス周波数テーブルを保持する場合もある。
【００３８】
図４は、本実施形態の無線通信装置におけるデバイス動作周波数選定動作を説明するためのフローチャートである。ここでは、カメラモジュール２１などのノイズ源デバイス１５の起動時の動作を示す。図４はＣＰＵ３１の周波数設定部３２の処理動作を中心に示している。
【００３９】
ＣＰＵ３１の周波数設定部３２は、まず、第１の無線通信部である受信部１２の受信周波数情報を取得する（ステップＳ１１）。そして、周波数設定部３２は、ノイズ源デバイス１５のデバイス動作クロックの各逓倍波と第１の無線通信部の受信周波数(RX1)との距離を計算する（ステップＳ１２）。ここで計算した距離をfspRX1_mとする。このとき、デバイス動作クロックに分周比Ｄ、例えば２、４などを設定する。無線通信部がＵＭＴＳやＧＳＭの移動体通信用の無線通信部である場合は、分周比Ｄはバンド毎に設定可能である。
【００４０】
次いで、周波数設定部３２は、ステップＳ１２で算出した距離fspRX1_mが第１のしきい値Th_RX1以上となる周波数F[m]を抽出する（ステップＳ１３）。ここで抽出した周波数F[m]に対して受信周波数への影響度を表す重み付けのウエイトW_RX1[m]を設定する。しきい値Th_RX1以上となる周波数F[m]のウエイトW_RX1[m]は、０より大きい数（例えば１）とし、しきい値Th_RX1未満の場合はウエイトW_RX1[m]を０とする。無線通信部がＵＭＴＳやＧＳＭの移動体通信用の無線通信部である場合は、しきい値Th_RX1はバンド毎に設定可能である。例えば、８００ＭＨｚ帯などの低い周波数帯域においてしきい値を大きくすることで、周波数が低くなるに従って干渉するかどうかの判定範囲を広げるようにする。
【００４１】
次に、周波数設定部３２は、第２の無線通信部である受信部１４の受信周波数情報を取得する（ステップＳ１４）。そして、周波数設定部３２は、デバイス動作クロックの各逓倍波と第２の無線通信部の受信周波数(RX2)との距離を計算する（ステップＳ１５）。ここで計算した距離をfspRX2_mとする。
【００４２】
次いで、周波数設定部３２は、ステップＳ１５で算出した距離fspRX2_m が第２のしきい値Th_RX2以上となる周波数F[m]を抽出する（ステップＳ１６）。ここで抽出した周波数F[m]に対して受信周波数への影響度を表す重み付けのウエイトW_RX2[m]を設定する。ステップＳ１３と同様、しきい値Th_RX2以上となる周波数F[m]のウエイトW_RX2[m]は、０より大きい数（例えば１）とし、しきい値Th_RX2未満の場合はウエイトW_RX2[m]を０とする。そして、装置に搭載された同時動作する無線通信部の数だけ、同様にステップＳ１１〜ステップＳ１３の処理を繰り返す。
【００４３】
次に、周波数設定部３２は、複数の受信周波数に対して算出したウエイトW_RX1[m], W_RX2[m]・・を用いて、デバイス動作周波数F[m]を選択する（ステップＳ１７）。デバイス動作周波数F[m]の選択方法は、後の実施形態において詳述するが、その都度計算する方法と、予め算出したデバイスの組合せ毎の最適化周波数データを記憶したテーブルを用いる方法とがある。都度計算する場合は、優先する無線通信部を設定可能である。そして、周波数設定部３２は、ステップＳ１７で選択したデバイス動作周波数F[m]に応じて、ノイズ源デバイス１５のデバイス動作クロックを設定し、デバイス動作周波数の周波数情報（基準クロック周波数、分周比など）を出力する（ステップＳ１８）。
【００４４】
上記のように、無線通信部の受信周波数毎にしきい値を設定し、デバイス動作周波数がしきい値より離れているかどうかによってデバイス動作周波数の影響度を判定することにより、複数の無線通信部の受信周波数に対して干渉の無い最適なデバイス動作周波数を選択することが可能である。この際、選択したデバイス動作周波数に対応させて、複数の無線通信部の受信チャネルの周波数情報に基づき、基準クロックを逓倍及び分周してデバイス動作クロックを生成することで、ノイズ源デバイスのデバイス動作周波数及びその高調波による受信波の干渉を、複数の無線通信部に対して同時に防止することが可能になる。
【００４５】
（第１の実施形態）
図５は、本発明の第１の実施形態に係るデバイス動作周波数の選択手順を説明するためのフローチャートである。第１の実施形態は、ＣＰＵ３１の周波数設定部３２において、その都度計算することによってデバイス動作周波数を選択する方法について示したものである。ここでは、ノイズ源デバイスがカメラモジュール、第１の無線通信部がＤＴＶ（デジタルテレビ）、第２の無線通信部がＵＭＴＳ（ＦＯＭＡ（登録商標））の場合の例を説明する。複数の無線通信部の組み合わせの例としては、ＤＴＶとＵＭＴＳ、ＤＴＶとBluetoothなどが主として挙げられる。Bluetoothの場合は、受信周波数として使用周波数帯域を用いて処理を行えばよい。
【００４６】
カメラモジュールの起動時には、周波数設定部３２は、まず、第１の無線通信部であるＤＴＶの受信チャネルの受信周波数情報（ＤＴＶ受信周波数）を取得する（ステップＳ２１）。ここで、ＤＴＶ受信周波数をF_DTVとする。そして、カメラ動作周波数（デバイス動作周波数）をF[m]、分周比をＤとし、カメラ動作クロック（デバイス動作クロック）F[m]／Ｄを逓倍した逓倍波と、ＤＴＶ受信周波数F_DTVとの距離を計算する（ステップＳ２２）。ここで計算した距離をfsp_DTV_mとする。ステップＳ２２において、分周比Ｄを１、２、３、４・・・とした場合に、受信周波数とカメラ動作周波数の関係及び距離fsp_DTV_mの計算例を図６及び数１に示す。算出された距離fsp_DTV_mのうち、ＤＴＶ受信周波数F_DTVに一番近いものから順に後の処理において利用する。
【００４７】
【数１】
2009118043.tif 000003
【００４８】
次いで、ステップＳ２２で算出した距離fsp_DTV_mと第１のしきい値Th_DTVとを比較し、カメラ動作クロックのＤＴＶ受信への影響度が許容範囲内かどうかを判定する（ステップＳ２３）。ここでは、距離fsp_DTV_mが第１のしきい値Th_DTV以上かどうかを判定し、判定結果に応じてＤＴＶ受信への影響度を表す重み付けのウエイトW_DTV[m]を設定する。ステップＳ２３における受信周波数とカメラ動作周波数の関係及びウエイトW_DTV[m]の計算例を図７及び数２に示す。ここでは、ＤＴＶ受信周波数F_DTVに一番近いものから順にしきい値Th_DTVと比較する。
【００４９】
【数２】
2009118043.tif 000004
【００５０】
数２において、距離fsp_DTV_mが第１のしきい値Th_DTV以上の場合、ウエイトW_DTV[m]＝１となる。
【００５１】
次に、周波数設定部３２は、第２の無線通信部であるＵＭＴＳの受信チャネルの受信周波数情報（ＦＯＭＡ受信周波数）を取得する（ステップＳ２４）。ここで、ＦＯＭＡ受信周波数をFID[n]とする。なお、本例では、無線通信装置が現在位置しているセルと、このセルに隣接するセルを含めた３つの受信周波数について判定する場合を示す。この３波の例では、ｎ＝３であり、現在の受信周波数とその前後の周波数を含む受信周波数情報を取得する。
【００５２】
そして、カメラ動作クロックF[m]／Ｄを逓倍した逓倍波と、ＦＯＭＡ受信周波数をFID[n]との距離を計算する（ステップＳ２５）。ここで計算した距離をfsp_FOMA_nmとする。ステップＳ２５において、分周比Ｄを１、２、３、４・・・とした場合に、受信周波数とカメラ動作周波数の関係及び距離fsp_FOMA_nmの計算例を図８及び数３に示す。算出された距離fsp_FOMA_nmのうち、各ＦＯＭＡ受信周波数をFID[n]に一番近いものから順に後の処理において利用する。
【００５３】
【数３】
2009118043.tif 000005
【００５４】
次いで、ステップＳ２５で算出した距離fsp_FOMA_nmと第２のしきい値Th_FOMAとを比較し、カメラ動作クロックのＵＭＴＳ通信への影響度が許容範囲内かどうかを判定する（ステップＳ２６）。ここでは、距離fsp_FOMA_nmが第２のしきい値Th_FOMA以上かどうかを判定し、判定結果に応じて受信周波数毎の重み付け関数J[n,m]を設定して、ＵＭＴＳ通信への影響度を表すウエイトW_FOMA[m]を算出する。ステップＳ２６における受信周波数とカメラ動作周波数の関係及びウエイトW_FOMA[m]の計算例を図９及び数４に示す。ここでは、各ＦＯＭＡ受信周波数をFID[n]に一番近いものから順にしきい値Th_FOMAと比較する。
【００５５】
【数４】
2009118043.tif 000006
【００５６】
数４において、ウエイトW_FOMA[m]算出式の係数は、一例として、現在の受信チャネルの周波数の係数を３、前後の周辺チャネルの周波数の係数を１としている。ここで、例えば３つの受信周波数において距離fsp_FOMA_nmが第２のしきい値Th_FOMA以上の場合、各受信周波数のJ[1,m]、J[2,m]、J[3,m]が共に１となり、ウエイトW_FOMA[m]＝５となる。また、例えば現在の受信チャネルの周波数のみ距離fsp_FOMA_nmが第２のしきい値Th_FOMA以上の場合、J[1,m]＝１、J[2,m]、J[3,m]は共に０となり、ウエイトW_FOMA[m]＝３となる。
【００５７】
次に、周波数設定部３２は、ステップＳ２３で算出したウエイトW_DTV[m]と、ステップＳ２６で算出したウエイトW_FOMA[m]とを用いて、これらの各ウエイトの積を求めた総合ウエイトとして、ウエイトW[m]を算出し、カメラ動作周波数F[m]を選択して決定する（ステップＳ２７）。ステップＳ２７におけるカメラ動作周波数F[m]の計算例を数５に示す。
【００５８】
【数５】
2009118043.tif 000007
【００５９】
一例として、W_DTV[m]＝１、W_FOMA[m]＝３の場合、これらの各ウエイトの積による総合ウエイトとして、ウエイトW[m]＝３が算出される。また、W[m]の最大値＝W[a]として、W[a]が３以上の場合はカメラ動作周波数F[m]＝F[a]、W[a]が３未満の場合はカメラ動作周波数F[m]＝F[x]となる。
【００６０】
すなわち、ウエイトW[m]の最大値W[a]が３以上の場合、つまり距離fsp_DTV_mが第１のしきい値Th_DTV以上、かつ、距離fsp_FOMA_nmが第２のしきい値Th_FOMA以上の場合は、その周波数F[a]をカメラ動作周波数F[m]として選択する。一方、ウエイトW[m]の最大値W[a]が３未満の場合、つまり距離fsp_DTV_mが第１のしきい値Th_DTV未満、または、距離fsp_FOMA_nmが第２のしきい値Th_FOMA未満に少なくとも一方がなる場合は、ステップＳ２５で計算したfsp_FOMA_1m（fsp_FOMA_1x）が最大となる周波数F[x]をカメラ動作周波数F[m]として選択する。ＵＭＴＳに関するウエイトW_FOMA[m]が３未満（ＵＭＴＳの現在の受信チャネルとの距離がしきい値Th_FOMA以上を満たさない場合）であり、W[m]の最大値W[a]が３未満となる場合は、カメラ動作周波数F[m]として、この現在の受信チャネルの周波数から一番離れた周波数、つまりしきい値内において一番離れたものを選択することになる。
【００６１】
なお、W[m]が最大となるF[m]が複数存在する場合は、W[m]が最大となるF[m]のうちでステップＳ２５で計算したfsp_FOMA_1m（fsp_FOMA_1x）が最大となるカメラ動作周波数を選択する。すなわち、この例の場合はＵＭＴＳを優先する形となっており、優先されるＵＭＴＳの無線通信部の受信周波数から一番離れたデバイス動作周波数を選択するようにする。
【００６２】
そして、周波数設定部３２は、ステップＳ２７で選択したカメラ動作周波数F[m]に応じて、カメラモジュールのカメラ動作クロックを設定し、カメラ動作周波数の周波数情報（基準クロック周波数、分周比など）を出力する（ステップＳ２８）。
【００６３】
このように、本実施形態では、複数の無線通信部の受信周波数毎にしきい値を設定し、このしきい値を用いてデバイス動作周波数がしきい値より離れているかどうかによってデバイス動作周波数の影響度を判定し、干渉の有無を判別する。そして、複数の無線通信部の受信周波数の双方を同時に避けるようにデバイス動作周波数を選択する。この場合、必ずしも受信周波数から一番離れているものを選択するのではなく、複数の受信周波数に対して干渉を回避し得る最適な周波数を選択する。これにより、同時動作する全ての無線通信部に対して各受信周波数における受信感度劣化を防ぐことが可能となる。また、デバイス動作周波数の選択のためのウエイト等をその都度算出することにより、多くのデータを保持しておく必要が無く、装置のメモリ容量を削減できる。
【００６４】
（第２の実施形態）
図１０は、本発明の第２の実施形態に係るデバイス動作周波数の選択手順を説明するためのフローチャートである。第２の実施形態は、メモリ３５に予め算出したデバイスの組合せ毎の最適化周波数データを記憶した周波数情報記憶部の機能を実現するデバイス周波数テーブルを保持しておき、ＣＰＵ３１の周波数設定部３２において、このテーブルを利用してデバイス動作周波数を選択する方法について示したものである。ここでは、第１の実施形態と同様、ノイズ源デバイスがカメラモジュール、第１の無線通信部がＤＴＶ（デジタルテレビ）、第２の無線通信部がＵＭＴＳ（ＦＯＭＡ（登録商標））の場合の例を説明する。
【００６５】
カメラモジュールの起動時には、周波数設定部３２は、まず、第１の無線通信部であるＤＴＶの受信チャネルの受信周波数情報（ＤＴＶ受信周波数）を取得する（ステップＳ３１）。ここで、ＤＴＶ受信周波数をF_DTVとする。
【００６６】
また、周波数設定部３２は、第２の無線通信部であるＵＭＴＳの受信チャネルの受信周波数情報（ＦＯＭＡ受信周波数）を取得する（ステップＳ３２）。ここで、ＦＯＭＡ受信周波数をFIDとする。
【００６７】
次に、周波数設定部３２は、ステップＳ３１、ステップＳ３２より取得したF_DTV、FIDを用いて、メモリ３５に記憶された最適化周波数データを持つデバイス周波数テーブルを参照し、このデバイス周波数テーブルによってカメラ動作周波数F[m]を選択して決定する（ステップＳ３３）。
【００６８】
図１１は、デバイスの組合せ毎に算出した最適化周波数データを持つデバイス周波数テーブルの一例を示す図である。例えば、F_DTV＝F_DTV5、FID＝FID2である場合、図１１において破線の囲みが重なるF[1]をカメラ動作周波数F[m]として選択する。
【００６９】
そして、周波数設定部３２は、ステップＳ３３で選択したカメラ動作周波数F[m]に応じて、カメラモジュールのカメラ動作クロックを設定し、カメラ動作周波数の周波数情報（基準クロック周波数、分周比など）を出力する（ステップＳ３４）。
【００７０】
このように、本実施形態では、デバイス周波数テーブルに格納された最適化周波数データに基づいて、複数の無線通信部の受信周波数の双方と干渉しないデバイス動作周波数を選択する。これにより、複数の無線通信部の受信周波数を同時に避けて、同時動作する全ての無線通信部に対して各受信周波数における受信感度劣化を防ぐことが可能となる。また、デバイス動作周波数の選択のために予め適切な周波数を算出した周波数情報のテーブルを用いることにより、計算にかかる処理を削減でき、デバイス動作周波数選択時の処理負荷を軽減できる。
【００７１】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００７２】
本発明は、複数の無線通信部を備え同時受信動作が可能なものにおいて、これらの無線通信部の各受信周波数における受信感度劣化を同時に防ぐことが可能となる効果を有し、携帯電話装置等の複数の無線通信部を備える無線通信装置等において有用である。
【図面の簡単な説明】
【００７３】
【図１】本発明の実施形態に係る無線通信装置の構成及び動作の概略を説明する図
【図２】図１の構成例における周波数スペクトルを示す図
【図３】本実施形態の無線通信装置の主要部の構成を示す図
【図４】本実施形態の無線通信装置におけるデバイス動作周波数選定動作を説明するためのフローチャート
【図５】本発明の第１の実施形態に係るデバイス動作周波数の選択手順を説明するためのフローチャート
【図６】カメラ動作クロックF[m]／Ｄの逓倍波とＤＴＶ受信周波数F_DTVとの距離fsp_DTV_mの計算例を示す図
【図７】カメラ動作クロックのＤＴＶ受信への影響度を表すウエイトW_DTV[m]の計算例を示す図
【図８】カメラ動作クロックF[m]／Ｄの逓倍波とＦＯＭＡ受信周波数をFID[n]との距離fsp_FOMA_nmの計算例を示す図
【図９】カメラ動作クロックのＵＭＴＳ通信への影響度を表すウエイトW_FOMA[m]の計算例を示す図
【図１０】本発明の第２の実施形態に係るデバイス動作周波数の選択手順を説明するためのフローチャート
【図１１】デバイスの組合せ毎に算出した最適化周波数データを持つデバイス周波数テーブルの一例を示す図
【図１２】従来の無線通信装置において同時に動作する複数の無線通信部を設けた際に、デバイス動作周波数の高調波が受信感度劣化を引き起こす場合の動作を説明する図
【図１３】図１２の従来例における周波数スペクトルを示す図
【符号の説明】
【００７４】
１１、１３  アンテナ
１２  受信部（第１の無線通信部）
１５  ノイズ源デバイス
１６、３１  ＣＰＵ
１７、３５  メモリ
１４  受信部（第２の無線通信部）
２１  カメラモジュール
２２  クロック生成部
２３  位相比較器
２４  ＬＰＦ
２５  ＶＣＯ
２６  分周器
２７  カメラ部
３２  周波数設定部
３３  カメラ基準クロック供給部
３４  表示部
【図１】
2009118043.tif 000008
【図２】
2009118043.tif 000009
【図３】
2009118043.tif 000010
【図４】
2009118043.tif 000011
【図５】
2009118043.tif 000012
【図６】
2009118043.tif 000013
【図７】
2009118043.tif 000014
【図８】
2009118043.tif 000015
【図９】
2009118043.tif 000016
【図１０】
2009118043.tif 000017
【図１１】
2009118043.tif 000018
【図１２】
2009118043.tif 000019
【図１３】
2009118043.tif 000020